(57)【要約】【課題】  確率変動遊技あるいは時間短縮遊技となるか否かの確定図柄を遊技者にいつ見せるかのタイミングを遊技者自身が決定可能なパチンコ機を提供する。【解決手段】  表示器１６と、表示器の表示画面１６ａを制御する制御装置３９とを備えたパチンコ機において、制御装置３９が、始動入賞部品１５への球の始動入賞を契機として得た乱数値を抽選知識５４に照合して抽選を行い、抽選結果の当たりの場合に、表示器の表示画面に、確率変動遊技や時間短縮遊技の確定を示す確定図柄をいつ表示するかを選択させる確定図柄表示時期選択画像を表示するとともに、遊技機枠の前面に設けられた確定図柄表示時期決定指示操作機構７０による人の操作によって確定図柄表示時期選択画像で選択された確定図柄表示時期に確定図柄を表示した。【選択図】        図１
2005185676.tif 000002
【特許請求の範囲】
【請求項１】
表示器と、表示器の表示画面を制御する制御装置とを備えたパチンコ機において、制御装置が、始動入賞部品への球の始動入賞を契機として得た乱数値を抽選知識に照合して抽選を行い、抽選結果が当たりの場合に、表示器の表示画面に、確率変動遊技や時間短縮遊技の確定を示す確定図柄をいつ表示するかを選択させる確定図柄表示時期選択画像を表示するとともに、遊技機枠の前面に設けられた確定図柄表示時期決定指示操作機構による人の操作によって確定図柄表示時期選択画像で選択された確定図柄表示時期に確定図柄を表示することを特徴とするパチンコ機。
【請求項２】
確定図柄表示時期選択画像が、確定図柄を当たり遊技の確定直後に表示させる選択欄、確定図柄を当たり遊技中に表示させる選択欄、確定図柄を当たり遊技終了後に表示させる選択欄を備えたことを特徴とする請求項１に記載のパチンコ機。
【請求項３】
制御装置が、ホールコンピュータとの間で互いに情報通信を行うための情報入出力手段を備え、確定図柄表示時期選択画像で選択された確定図柄表示時期の回数を示す履歴をホールコンピュータに送信したことを特徴とする請求項１又は請求項２に記載のパチンコ機。
【請求項４】
制御装置が確定図柄確認特定処理手段を備え、確定図柄確認特定処理手段は、当たり遊技後に人によりパチンコ機の電源スイッチのオフオン動作が行われたことを判定して制御装置のＲＡＭにバックアップ記憶されている直前の情報に基いて表示器の表示画面に確率変動遊技あるいは時間短縮遊技の確定図柄を表示したことを特徴とする請求項１ないし請求項３のいずれかに記載のパチンコ機。
【請求項５】
制御装置が、ホールコンピュータからの確定図柄表示時期固定信号を受けて確定図柄表示時期を一つに固定させる確定図柄表示時期固定手段を備えたことを特徴とする請求項１ないし請求項４のいずれかに記載のパチンコ機。
【発明の詳細な説明】
【技術分野】
【０００１】
本発明は当たり遊技後の確率変動遊技や時間短縮遊技の確定を示す確定図柄を遊技者にいつ見せるかのタイミングを遊技者自身が決定可能なパチンコ機に関する。
【背景技術】
【０００２】
パチンコ機においては、制御装置が、始動入賞部品への球の始動入賞を契機として得た乱数値を抽選知識に照合して当たり外れ抽選を行う。抽選知識は乱数値と当たり外れ結果とを対応付けたテーブル又はマップのような情報であり、当たり外れ結果のうち当たりの結果には当たり遊技後に確率変動遊技や時間短縮遊技となるか否かの結果も対応付けられている。そして、確率変動遊技や時間短縮遊技となるか否かの確定図柄を遊技者にいつ見せるかのタイミングを制御装置によって抽選して決めるパチンコ機が知られている。
【特許文献１】特開２００１−１３７４６２号公報（段落００５０、図４、図５参照）
【発明の開示】
【発明が解決しようとする課題】
【０００３】
発明が解決しようとする問題点は、当たり遊技後に確率変動遊技や時間短縮遊技となるか否かを示す確定図柄を遊技者にいつ見せるかのタイミングを遊技者自身が決められないという点である。
【課題を解決するための手段】
【０００４】
本発明のパチンコ機は、表示器と、表示器の表示画面を制御する制御装置とを備えたパチンコ機において、制御装置が、始動入賞部品への球の始動入賞を契機として得た乱数値を抽選知識に照合して抽選を行い、抽選結果が当たりの場合に、表示器の表示画面に、確率変動遊技や時間短縮遊技の確定を示す確定図柄をいつ表示するかを選択させる確定図柄表示時期選択画像を表示するとともに、遊技機枠の前面に設けられた確定図柄表示時期決定指示操作機構による人の操作によって確定図柄表示時期選択画像で選択された確定図柄表示時期に確定図柄を表示することを最も特徴とする。確定図柄表示時期選択画像が、確定図柄を当たり遊技の確定直後に表示させる選択欄、確定図柄を当たり遊技中に表示させる選択欄、確定図柄を当たり遊技終了後に表示させる選択欄を備えたことや、制御装置が、ホールコンピュータとの間で互いに情報通信を行うための情報入出力手段を備え、確定図柄表示時期選択画像で選択された確定図柄表示時期の回数を示す履歴をホールコンピュータに送信したことや、制御装置が確定図柄確認特定処理手段を備え、確定図柄確認特定処理手段は、当たり遊技後に人によりパチンコ機の電源スイッチのオフオン動作が行われたことを判定して制御装置のＲＡＭにバックアップ記憶されている直前の情報に基いて表示器の表示画面に確率変動遊技あるいは時間短縮遊技の確定図柄を表示したことや、制御装置が、ホールコンピュータからの確定図柄表示時期固定信号を受けて確定図柄表示時期を一つに固定させる確定図柄表示時期固定手段を備えたことも特徴とする。
【発明の効果】
【０００５】
本発明によれば、表示器の表示画面に当たり遊技確定後に確定図柄表示時期選択画像を表示し、遊技者自身が確定図柄表示時期決定指示操作機構の操作によって確定図柄表示時期を任意に決めることができるので、遊技者の様々な指向に対応可能なパチンコ機を提供できる。遊技者は、確定図柄表示時期選択画像を選択することで、確定図柄を当たり遊技の確定直後に表示させるか、確定図柄を当たり遊技中に表示させるか、確定図柄を当たり遊技終了後に表示させるかを選択することが可能となる。確定図柄表示時期の回数を示す履歴をホールコンピュータに送信することで、ホールコンピュータで各パチンコ機から送信されてきた履歴を集計でき、お客の好みを把握でき、今後のパチンコ機の購入予定の資料とできる。パチンコホールの営業時間終了間際に当たりが確定したのにもかかわらず、遊技者が「チャンスゾーン中に抽選」や「チャンスゾーン後に抽選」の確定図柄表示時期選択肢欄を選択してしまったよう場合に、確定図柄確認特定処理手段により、当たり遊技後にすぐに確率変動遊技や時間短縮遊技を得られる否かがわかる。パチンコホールの営業時間終了間際にホールコンピュータからの指示で確定図柄表示時期を一つに固定させることで、遊技者に遊技を早く終了させることが可能となり、営業時間を短縮できる。
【発明を実施するための最良の形態】
【０００６】
図１；図２は実施形態である。図１はパチンコ機の構成を示す。図２はパチンコ機の始動入賞に伴う制御の流れを示す。
【０００７】
図１を参照し、パチンコ機の構成について説明する。パチンコ機の遊技機枠１は、島と呼ばれる遊技機設置構造体に設置される。遊技機枠１の前部には、ガラスまたは合成樹脂からなる透過性パネル２で閉鎖された開口部３、開口部３よりも下方に設けられた皿４、皿４の右側に設けられた発射操作機構５、開口部３の周囲に設けられた表示灯部品６、開口部３の周囲に設けられた放音孔部７を備える。表示灯部品６は内部に表示灯８を備える。放音孔部７の裏側にはスピーカ９が設けられる。遊技機枠１の内部には、遊技盤１０および発射機構１１を備える。遊技盤１０は開口部３の裏側に位置するように遊技機枠１に格納される。遊技盤１０の前面である意匠盤面１２と透過性パネル２との間には、発射機構１１から発射された球（パチンコ球）の飛び交う遊技領域１３が、ガイドレール１４で囲まれた内側の領域として形成される。遊技領域１３における意匠盤面１２には、始動入賞部品１５、表示器１６、可変入賞部品１７、アウト口１８、図外の一般入賞部品、図外の障害釘や遊技釘と呼ばれる釘が設けられる。遊技機枠１の前面１ａにおいて発射操作機構５の上方には、ボタンスイッチのようなスイッチ手段で構成された確定図柄表示時期決定指示機構７０が設けられ、遊技者がこの確定図柄表示時期決定指示機構７０を操作することによって、当たり遊技確定後に表示器１６の表示画面１６ａに表示される確率変動遊技や時間短縮遊技の確定を示す確定図柄をいつ表示するかを選択させる確定図柄表示時期選択画像に従って遊技者が確定図柄表示時期の決定意思を主制御装置４０に指示できる。
【０００８】
表示器１６は表示画面１６ａに静止画、動画等の画像を表示するもので、例えば、液晶表示器のように電気的に表示形態の変えられる画像を表示画面１６ａに表示する表示器である。表示器１６は遊技盤１０の裏部または遊技機枠１の裏部に取り付けられ、表示画面１６ａが透過性パネル２を通して遊技機枠１の前側から視認可能になっている。可変入賞部品１７の前部には開閉体３５が下部を回転中心として前後方向に開閉可能に設けられる。可変入賞部品１７の内部にはＶゾーンと呼ばれる図外の特定入賞口、カウントゾーンと呼ばれる図外の普通入賞口、特定入賞口に入賞した球を検出して特定入賞信号を出力する図外の特定入賞球検出器、普通入賞口に入賞した球を検出して普通入賞信号を出力する図外の普通入賞球検出器を備える。可変入賞部品１７の裏部には開閉体３５を駆動する開閉駆動源３６を備える。球払出機構３７は、遊技機枠１の裏部または遊技機設置構造体に取り付けられる。球払出機構３７は、遊技機設置構造体の図外の補給装置から供給された球を、制御装置３９からの指示で、皿４に払い出す。制御装置３９は、遊技機枠１の裏部または遊技盤１０の裏部に取り付けられる。制御装置３９は、主制御装置４０と画像制御装置６０と音制御装置４２と表示灯制御装置４３と発射払出制御装置４４とに機能分割される。主制御装置４０と画像制御装置６０と音制御装置４２と表示灯制御装置４３と発射払出制御装置４４は、図示しないが、ぞれぞれ、ＣＰＵ、ＲＯＭ、ＲＡＭ、入出力デバイス等を備えたコンピュータで構成される。
【０００９】
主制御装置４０は、入賞検出手段５１、抽選カウンタ５２、抽選手段５３、抽選知識５４、選択画像表示指示手段５５、決定指示判定手段５６、遊技制御手段５７、確定図柄表示時期情報記憶手段５８、確定図柄表示時期履歴記憶手段５９、情報入出力制御手段７９、確定図柄表示時期固定手段８０を備える。入賞検出手段５１、抽選カウンタ５２、抽選手段５３、選択画像表示指示手段５５、決定指示判定手段５６、遊技制御手段５７、情報入出力制御手段７９、確定図柄表示時期固定手段８０は、主制御装置４０に内蔵したマイクロコンピュータのＣＰＵがＲＯＭに格納されたプログラムにしたがいＲＡＭを使用しながら動作することで具現化される。抽選知識５４はＲＯＭに格納されたデータにより構成され、主制御装置４０の起動によりＲＯＭからＲＡＭに転送される。抽選知識５４は、図２に示すように、乱数値と確率変動遊技あるいは時間短縮遊技とするか否かの結果情報（以下、「特別遊技情報」という）と当たり外れ結果情報との関係を規定したテーブルまたはマップのような情報である。抽選カウンタ５２は、主制御装置４０のマイクロコンピュータのプログラムを処理する４ｍ秒のような１サイクルごとにカウント値を１つずつカウントアップし、カウントアップしたカウント値が抽選知識５４の最大値の乱数値と同じ値の最大値になると、カウント値が抽選知識５４の最小値の乱数値と同じ値の最小値に戻る、巡回形である。
【００１０】
画像制御装置６０は、選択画像表示制御手段６１、タイマ群６２、決定指示入力手段６３、表示制御手段６４、画像記憶手段６５、表示画面駆動手段６６、確定図柄確認特定処理手段６７を備える。選択画像表示制御手段６１、タイマ群６２、決定指示入力手段６３、表示制御手段６４、表示画面駆動手段６６、確定図柄確認特定処理手段６７は、画像制御装置６０に内蔵したマイクロコンピュータのＣＰＵがＲＯＭに格納されたプログラムにしたがいＲＡＭを使用しながら動作することで具現化される。
【００１１】
図１−図２を参照し、第１実施形態の動作について説明する。パチンコ機の主制御装置４０、画像制御装置６０、音制御装置４２、表示灯制御装置４３および発射払出制御装置４４が電力供給を受けて起動する。主制御装置４０は電力供給を受けて起動した際にＲＯＭからＲＡＭに抽選知識５４を読み込む。球が皿４に入れられた状態において、遊技者が発射操作機構５を操作すると、発射操作機構５が操作量に相当する電気信号としての例えば可変抵抗値を発射払出制御装置４４に出力する。発射払出制御装置４４は、発射機構１１を、可変抵抗値に応じた発射出力として例えば１分間に１００発未満の間隔で駆動する。これによって、発射機構１１が皿４から供給された球を遊技領域１３に向けて１個ずつ発射する。パチンコ機には始動入賞球検出器３１、図外の特定入賞球検出器、図外の普通入賞球検出器、図外の一般入賞部品に入賞した球を検出して一般入賞信号を出力する一般入賞球検出器が存在する。このようなことから、入賞検出手段５１は、始動入賞球検出器３１からの始動入賞信号、特定入賞球検出器からのと特定入賞信号、普通入賞球検出器からの普通入賞信号、一般入賞球検出器からの一般入賞信号が主制御装置４０のマイクロコンピュータに入力された入力ポートの位置の違いで、どの入賞部品に対応する入賞球検出器からの入賞信号であるかを識別し、払い出すべき設定払出数を特定するとともに球払出機構３７のアクチュエータを払出制御する。この遊技領域に発射された球が、始動入賞部品１５に入賞し、始動入賞球検出器３１が始動入賞信号を主制御装置４０に出力する。すると、入賞検出手段５１が始動入賞球検出器３１から始動入賞信号が主制御装置４０に入力されたことを検出する。このように、入賞検出手段５１が始動入賞信号の入力を検出することによって、主制御装置４０が図２に示す処理を開始する。
【００１２】
図２を参照し、始動入賞に伴う制御の流れを説明する。上記始動入賞信号の入力を検出したことに伴い、主制御装置４０への始動入賞があれば（ステップ１０１がＹＥＳ）、遊技制御手段５７は抽選手段５３に抽選を行なわせる（ステップ１０２）。抽選手段５３は、入賞検出手段５１からの始動入賞信号の入力タイミングで抽選カウンタ５２のカウント値を取得し、取得したカウント値を抽選知識５４に照合して、そのカウント値と同じ数値の乱数値に対応付けられた当たり外れ結果情報と特別遊技情報及び図外の図柄変動情報を抽出し、その抽出した情報をＲＡＭに記憶するとともに、図柄変動情報を画像制御装置６０に送信する。画像制御装置６０の表示制御手段６４は、図柄変動情報に従って画像記憶手段６５から画像を読み出して画像駆動手段６６を制御することで、表示器１６の表示画面１６ａに変動図柄を表示し、図外のタイマで計測している図柄変動時間に経過に伴い表示画面１６ａに当たり外れ結果情報の確定図柄を停止表示する。主制御装置４０の遊技制御手段５７は、当たり外れ結果情報に示された確定図柄の停止表示されるまでの間にＲＡＭに記憶された当たり外れ結果情報の当たり外れを判定する。当たり外れ結果情報を判定した結果が当たりであれば、遊技制御手段５７が当たりの確定を認識し（ステップ１０３でＹＥＳ）、選択画像表示指示手段５５に当たりの確定信号を出力する。当たりの確定信号を受けた選択画像表示指示手段５５は画像制御装置６０に確定図柄表示時期選択画像表示指示を出力する。この指示を受けた選択画像表示制御手段６１は、画面駆動手段６６を駆動して表示器１６の表示画面１６ａに例えば図２に示すような確定図柄表示時期選択画像２００を表示する（ステップ１０４）。選択画像表示制御手段６１は、５つの確定図柄表示時期の選択欄２０１；２０２；２０３；２０４；２０５の１つ１つを順番に真ん中に大きくタイマ群６２からのタイムアップ信号により例えば３秒間ずつ表示していく。そして、遊技者は所望の選択欄が真ん中に大きく表示された時間帯に確定図柄表示時期決定指示機構７０を操作することで、主制御装置４０の決定指示判定手段５６が指示（図１のＡ参照）の入力を判定して画像制御装置６０に決定指示信号を送信する。決定指示入力手段６３は決定指示信号を受けて、この決定指示信号を受けた時点で真ん中に大きく表示されていた選択欄の示していた確定図柄表示時期に確定図柄を表示することを決定し、その決定した確定図柄表示時期情報を主制御装置４０に送信する。主制御装置４０では遊技制御手段５７が確定図柄表示時期情報を確定図柄表示時期情報記憶手段５８に記憶する。遊技制御手段５７は選択欄の示していた確定図柄表示時期をタイマ群６２で確認し、これら確定図柄表示時期がくる毎に確定図柄表示時期情報記憶手段５８の確定図柄表示時期情報を判定し、時期が一致すれば、画像制御装置６０に確定図柄表示指示を出力する。画像制御装置６０の表示制御手段６４は確定図柄表示指示を受けるとＲＡＭに記憶されている特別遊技情報の示す確定図柄を表示器１６の表示画面１６ａに停止表示し（ステップ１０５）、停止表示完了信号を主制御装置４０に送る。主制御装置４０の遊技制御手段５７は停止表示完了信号を受けて、ＲＡＭに記憶されている特別遊技情報を判定し、確定図柄が確率変動遊技を示していれば確率変動遊技を行い、確定図柄が時間短縮遊技を示していれば時間短縮遊技を行う。即ち、表示制御手段６４が、５つの確定図柄表示時期のうちの１つが選択される毎にそれぞれの確定図柄表示時期に特別遊技情報による確定図柄を停止表示する。
図２の抽選知識５４において当たりの結果情報が対応付けられた乱数値のうち、乱数値「０」に対応付けられた特別遊技情報「○（１１１）」の確定図柄（１１１）及び乱数値「３６０」に対応付けられた特別遊技情報「○（３３３）」の確定図柄（３３３）は、確率変動遊技を示す情報である。図２の抽選知識５４において当たりの結果情報が対応付けられた乱数値のうち、乱数値「０」「３６０」以外の乱数値に対応付けられた特別遊技情報の確定図柄は、時間短縮遊技を示す情報である（例えば、図２の抽選知識５４の乱数値「５００」に対応付けられた特別遊技情報「△（９９９）」の確定図柄（９９９）は時間短縮遊技を示す情報である）。従って、抽選で乱数値「０」か「３６０」のいずれかが抽出された場合は、当たり遊技後に、確率変動遊技となり、遊技者に有利な遊技が提供される。抽選で乱数値「０」か「３６０」以外で当たりの結果情報が対応付けられた乱数値（例えば乱数値「５００」）が抽出された場合は、当たり遊技後に時間短縮遊技となり、確率変動遊技に匹敵するほど遊技者に有利な遊技ではないが、通常遊技と比較して有利な遊技が提供される。
【００１３】
抽選による当たりが確定し、表示制御手段６４が表示画面１６ａに図２に示すような確定図柄表示時期選択画像２００を表示する。ここで、遊技者が確定図柄表示時期決定指示機構７０を操作して選択欄２０１に示される表示時期（「今すぐ抽選」）を選んだとする。すると、通常遊技状態から当たり遊技に移行する前に表示画面１６ａに特別遊技情報による確定図柄が停止表示され、その後に当たり遊技となる（ステップ１０６）。特別遊技情報の確定図柄が図２の（１１１）あるいは（３３３）で停止表示されれば当たり遊技後に確率変動遊技となり、特別遊技情報の確定図柄が（１１１）あるいは（３３３）以外（例えば図２の（９９９））で停止表示されれば当たり遊技後に時間短縮遊技となる。遊技者が選択欄２０２に示される表示時期（「当たり中に抽選」）を選んだとすると、当たり遊技の途中で特別遊技情報による確定図柄が停止表示される。即ち、当たり遊技中に遊技者が選択欄２０３に示される表示時期（「当たり終了後に抽選」）を選んだとすると、当たり遊技の終了直後に特別遊技情報による確定図柄が停止表示される。遊技者が選択欄２０４に示される表示時期（「チャンスゾーン中に抽選」）を選んだとすると、当たり遊技の後のチャンスゾーン中に特別遊技情報による確定図柄が停止表示される。遊技者が選択欄２０５に示される表示時期（「チャンスゾーン後に抽選」）を選んだとすると、チャンスゾーンの終了後に特別遊技情報による確定図柄が停止表示される。遊技者が選択欄２０４に示される表示時期（「チャンスゾーン中に抽選」）や、選択欄２０５に示される表示時期（「チャンスゾーン後に抽選」）を選んだ場合には、遊技制御手段５７が当たり遊技の終了後に所定時間だけ時間短縮遊技とする。この所定時間だけ提供される時間短縮遊技の間が「チャンスゾーン」である。
よって、特別遊技状態を取得しているか否かを早く知りたい場合には、選択欄２０１を選択すればよいし、特別遊技状態を取得しているか否かを知る楽しみを後に残しておきたい場合には、選択欄２０５を選択すればよい。即ち、遊技者の好みに合せて確定図柄表示時期を選択できる。尚、図２の確定図柄表示時期選択画像２００の選択欄では「抽選」とあるが、実際には確定図柄表示時期に抽選が行われるわけでなく、すでに始動入賞による抽選で得られている特別遊技情報の確定図柄を表示するだけである。また、図２の確定図柄表示時期選択画像２００中の２０６は当たり結果情報による確定図柄、２０７は真ん中に表示されている選択欄の残り時間表示である。また、「ボタン」は確定図柄表示時期決定指示機構７０のことである。
【００１４】
確定図柄表示時期選択の履歴、即ち、各選択欄の選択された回数は確定図柄表示時期履歴記憶手段５９に記憶される。この履歴は、主制御装置４０の情報入出力制御手段７９が遊確定図柄表示時期履歴記録手段５９に記録されている履歴を入出力手段７１を介して例えば１日毎にホールコンピュータ７２に送信したり、ホールコンピュータ７２からの履歴送信要求に基いて情報入出力制御手段７９がホールコンピュータ７２に履歴を送信する。これにより、ホールコンピュータ７２で各パチンコ機から送信されてきた履歴を集計することにより、お客の好みを把握でき、今後のパチンコ機の購入予定の資料とできる。
【００１５】
また、例えば、パチンコホールの営業時間終了間際に当たりが確定したのにもかかわらず、遊技者が「チャンスゾーン中に抽選」や「チャンスゾーン後に抽選」の確定図柄表示時期選択肢欄を選択してしまった場合には、特別遊技情報が「○」でない場合（即ち、確率変動遊技にならない場合）は当たり遊技後に遊技を続行してもすぐに当たりとなる確率は低いので、遊技者としてもホール側としても遊技を早く終了させたい。このような場合、当たり遊技後にホールの店員がパチンコ機の遊技盤の裏側に設けられている電源スイッチ７５を一旦切って、電源スイッチ７５を再投入するという特定処理を行うことにより、画像制御装置６０の確定図柄確認特定処理手段６７が主制御装置４０のＲＡＭに図外のバックアック電源によりバックアップ記憶されていた直前の特別遊技情報に基いて表示画面１６ａに確定図柄を表示する。従って、すぐに、特別遊技を得られる否かがわかり、特別遊技を得られていた場合には遊技者の既得権を確保でき、特別遊技を得られていなかった場合には遊技を早く終了することが可能となり、遊技者及びホールの両方に時間節約というメリットが得られる。
【００１６】
また、主制御装置４０は、ホールコンピュータ７２からの確定図柄表示時期固定信号を受けて確定図柄表示時期を一つに固定させる確定図柄表示時期固定手段８０を備えている。これにより、例えば、パチンコホールの営業時間終了間際に、ホールコンピュータ７０から確定図柄表示時期を例えば「今すぐ抽選」に固定する確定図柄表示時期固定信号をホール内の当該パチンコ機のすべてに送信することで、遊技者に遊技を早く終了させることが可能となり、営業時間の短縮を可能とできる。
【００１７】
尚、確率変動遊技とは、抽選での当たりの結果の得られる確率が通常遊技の確率より高くなるように図２の抽選知識５４において当たりの結果の数を多くするよう抽選知識５４のデータを書き換えて行う遊技を言う。確率変動遊技では、抽選により当たりの結果の得られる確率が通常遊技の時の確率より高くなることになり、遊技者に有利となる。確率変動遊技の継続回数は、当たり遊技後に、抽選で当たりの結果が得られる確率を通常遊技の確率より高くした状態において、許容される始動入賞の回数あるいは当たり外れ抽選結果の得られる回数である。即ち、確率変動遊技で認められる始動入賞の回数、あるいは、当たり外れ抽選の回数であり、この回数を超えると確変遊技は通常遊技に戻るよう設定される。時間短縮遊技とは始動入賞に基づく図柄変動時間を短縮することであり、時短遊技とは始動入賞に基づく図柄変動時間が短縮された遊技である。これにより、図柄変動回数が増えることになって、抽選により当たりの結果の得られる確率が通常遊技の時の確率より実質的に高くなることになり、遊技者に有利となる。確率変動遊技や時間短縮遊技の回数はカウンタを用いて、始動入賞信号や図柄変動時間計測タイマからのタイムアップ信号を入力して回数をカウントし、遊技制御手段５７がカウント終了信号に基いて確率変動遊技や時間短縮遊技を終了する。なお、確変変動遊技や時間短縮遊技はいずれも当たり遊技後にさらに当たりの結果を得られやすいようにする遊技であり、結果的に遊技者に有利な遊技となるものである。
【００１８】
当たり遊技（ステップ１０６）について説明する。主制御装置４０に備える遊技制御手段５７は、図外の当たり外れ結果記憶部、当たり外れ判定手段、開閉駆動手段を備える。上述の始動入賞により、抽選で抽出されて記憶部に記憶された当たり外れ結果情報を当たり外れ判定手段が判定し、当たりであれば、開閉駆動手段が可変入賞部品１７の開閉駆動源３６を駆動して可変入賞部品１７の開閉体３５を開閉する。つまり、可変入賞部品１７の開閉体３５を所定回数または所定時間開閉する当たり遊技と呼ばれる一連の遊技が行われる。そして、遊技領域に発射された球が開閉体３５の開放中に可変入賞部品１７に入賞すると、当該入賞した球を検出した可変入賞球検出器が入賞検出手段５１に可変入賞検出信号を出力し、入賞検出手段５１が当該可変入賞検出信号を受信して賞球払出信号を発射払出制装置４４に出力し、発射払出制装置４１は球払出機構３７を制御する。これにより、球払出機構３７が始動入賞に対応する数の球を皿に払い出す。尚、当たり遊技では、可変入賞部品１７内に入った球により特定の条件が満たされれば開閉体３５が閉じられた後に再び開くが、特定の条件が満たされなければ開閉体３５が閉じて当たり遊技を終了する。特定の条件とは、例えば、可変入賞部品１７内の普通入賞球検出器に特定数（例えば１０個）の球が検出されるまでの間に可変入賞部品１７内の特定入賞球検出器が球を検出したという条件や、所定の時間内に特定入賞球検出器が球を検出したという条件などである。即ち、球が可変入賞部品１７内の普通入賞口に特定数（例えば１０個）入賞するまでの間に特定入賞口への入賞があったという条件や、所定の時間内に特定入賞口への入賞があったという条件などの特定の条件を満たす度に開閉体３５は一旦閉じられる。この一旦閉じるまでの間をラウンドといい、上記特定の条件が成立すれば、ラウンドは所定回数までは継続する。従って、例えば最大ラウンド数が１６ラウンドであるとすれば、特定の条件が成立すれば、１６ラウンドまで継続し、１６ラウンドが終了すれば、当たり遊技が終了する。特定の条件が成立しなければ条件が成立しなかったラウンドでラウンド継続が終了し、当たり遊技が終了する。
【００１９】
始動入賞から画像表示までの間、又は、始動入賞による当たり外れ結果が当たりで当たり遊技が終了するまでの間の一連の遊技中に、当該始動入賞の球とは別に遊技領域１３に発射された球により始動入賞が１以上あると、始動入賞による抽選により得られる結果情報が例えば４個まで保留される。即ち、結果情報は、ＲＡＭに設けられた先入れ先出し方式の記憶部に順次４個まで記憶されて、先に記憶された情報から処理されて消去される。即ち、当たり外れ結果情報は、当たり外れ結果情報が外れであれば判定終了後に、当たり外れ結果情報が当たりであれば当たり遊技終了後に消去される。特別遊技情報は、確率変動遊技や時間短縮遊技の終了後に消去される。
【００２０】
実施形態によれば、特遊技情報の確定図柄、即ち、確率変動遊技や時間短縮遊技を示す確定図柄を遊技者にいつ見せるかのタイミングを遊技者自身が決められるので、遊技者の様々な指向に対応可能なパチンコ機を提供できる。
【００２１】
尚、上述の抽選知識５４では、当たりの確定後には少なくとも時間短縮遊技を提供するように特別遊技情報を割り付けた場合を説明したが、当たりの確定後に確率変動遊技あるいは時間短縮遊技のいずれも提供しないことを示す特別遊技情報を割り付けておいてもよい。
【産業上の利用可能性】
【００２２】
特別遊技情報の確定図柄表示時期は、上述した５つの時期以外の時期であっても良い。
【図面の簡単な説明】
【００２３】
【図１】実施形態によるパチンコ機の構成図。
【図２】実施形態によるパチンコ機の始動入賞に伴う制御の流れを示すフローチャート。
【符号の説明】
【００２４】
１  遊技機枠、１５  始動入賞部品、１６  表示器、１６ａ  表示画面、
３９  制御手段、４０  主制御装置、５４  抽選知識、６０  画像制御装置、
６７  確定図柄確認特定処理手段、７０  確定図柄表示時期決定指示操作機構、
７１  情報入出力手段、７２  ホールコンピュータ、７９  情報入出力制御手段、
８０  確定図柄表示時期固定手段、２００  確定図柄表示時期選択画像、
２０１；２０２；２０３；２０４；２０５  選択欄。
【図１】
2005185676.tif 000003
【図２】
2005185676.tif 000004